(57)【特許請求の範囲】
【請求項１】
長尺状に形成されたベースフィルムと、
上記ベースフィルム上に、該ベースルフィルムの長手方向に所定の間隔をもって並んで配設された複数のインク層領域と、
上記ベースフィルム上の、上記各インク層領域の間に形成された該各インク層領域の先頭を検出するためのセンサマークとを備え、
上記複数のインク層領域は、互いに色が異なる所定数の色のインク層領域の繰り返しからなり、
上記センサマークは、上記所定数の色から選択された色のインク層で構成され、
上記所定数の色のインク層領域の先頭に位置する上記センサマークは、上記ベースフィルムの長手方向に並べて配置された第１の色のインク層および第２の色のインク層により構成され、
上記べースフィルムの走行方向に、上記ベースフィルムの長手方向に並べて配置されたセンサマークの第１の色のインク層および第２の色のインク層と同じ間隔で第１の色センサおよび第２の色センサをそれぞれ配設し、上記センサマークの第１の色のインク層および第２の色のインク層を同時に検出するようにしたプリンタに用いられるインクリボンであって、
上記ベースフィルム上に配設された上記第１の色のインク層領域と該第１の色のインク層領域に隣接する上記第２の色のインク層により構成されるセンサマークの上記ベースフィルムの長手方向の互いに対向する端部の間隔は、該第１の色のインク層領域と該第２の色のインク層により構成されるセンサマークが上記第１の色センサおよび上記第２の色センサで同時に検出されないように、上記センサマークの第１の色のインク層と第２の色のインク層の上記ベースフィルムの長手方向の互いに対向する端部の間隔より長くされている
インクリボン。
【請求項２】
上記所定数の色は、イエロー、マゼンタおよびシアンの３色である
請求項１に記載のインクリボン。
【請求項３】
上記所定数の色は、イエロー、マゼンタ、シアンおよびラミネートの４色である
請求項１に記載のインクリボン。
【請求項４】
インクリボンを装着するインクリボン装着部と、
上記インクリボン装着部に装着されたインクリボンを上記ベースフィルムの長手方向に走行させるインクリボン走行部と、
上記インクリボン走行部で走行されるインクリボンのセンサマークを検出する、上記インクリボンの走行方向に所定の間隔で並べて配設された第１の色センサおよび第２の色センサからなるセンサマーク検出部と、
印刷データが供給される印刷ヘッドと、
上記センサマーク検出部の検出出力に基づいて、上記インクリボン走行部および上記印刷ヘッドの動作を制御するプリント制御部とを有し、
上記インクリボンは、
長尺状に形成されたベースフィルムと、
上記ベースフィルム上に、該ベースルフィルムの長手方向に所定の間隔をもって並んで配設された複数のインク層領域と、
上記ベースフィルム上の、上記各インク層領域の間に形成された該各インク層領域の先頭を検出するためのセンサマークとを備え、
上記複数のインク層領域は、互いに色が異なる所定数の色のインク層領域の繰り返しからなり、
上記センサマークは、上記所定数の色から選択された色のインク層で構成され、
上記所定数の色のインク層領域の先頭に位置する上記センサマークは、上記ベースフィルムの長手方向に上記第１の色センサおよび上記第２の色センサと同じ間隔で並べて配置され、該第１の色センサおよび該第２の色センサで同時に検出されるようにした第１の色のインク層および第２の色のインク層により構成され、
上記ベースフィルム上に配設された上記第１の色のインク層領域と該第１の色のインク層領域に隣接する上記第２の色のインク層により構成されるセンサマークの上記ベースフィルムの長手方向の互いに対向する端部の間隔は、該第１の色のインク層領域と該第２の色のインク層により構成されるセンサマークが上記第１の色センサおよび上記第２の色センサで同時に検出されないように、上記センサマークの第１の色のインク層と第２の色のインク層の上記ベースフィルムの長手方向の互いに対向する端部の間隔より長くされている
プリンタ。
【発明の詳細な説明】
【技術分野】
【０００１】
この発明は、インクリボンおよびこれを使用したプリンタに関する。詳しくは、この発明は、ベースフィルムの長手方向に所定数の色のインク層領域が繰り返し配設されたインクリボンであって、各色のインク層領域の先頭を検出するためのセンサマークを、上述の所定数の色から選択された色のインク層で構成することにより、黒インク（黒マーク）の塗布を不要とし、製造工程の削減による低廉化を図るようにしたインクリボン等に係るものである。
【背景技術】
【０００２】
プリンタでは、例えば、イエロー（Ｙ）、マゼンタ（Ｍ）、シアン（Ｃ）（あるいは、イエロー（Ｙ）、マゼンタ（Ｍ）、シアン（Ｃ）、ラミネート（Ｌ））の順に、画像を重ねてプリントすることで、カラー画像が形成される。したがって、イエロー、マゼンタ、シアン（あるいは、イエロー、マゼンタ、シアン、ラミネート）の染料あるいは顔料が繰り返し塗布されたインクリボンカセットを使ったプリンタでは、各色の塗布開始位置の検出が必要である。
【０００３】
各色の塗布開始位置を検出する従来技術として、黒色の顔料インクを各色の塗布開始部に塗布し、赤外線センサによって検出することが行われている。さらに、プリント動作では必ずイエローからプリントしなければならないため、イエローの塗布開始部には他の色と区別可能な塗布方法が用いられる。
図３３（ａ）は、各色の塗布開始部に黒色の顔料インクを塗布してなるインクリボン２００Ａの構成例を示している。このインクリボン２００Ａは、長尺状に形成されたベースフィルム２０１の上に、このベースフィルム２０１の長手方向に、イエロー（Ｙ）のインク層領域２０２Ｙ、マゼンタ（Ｍ）のインク層領域２０２Ｍ、シアン（Ｃ）のインク層領域２０２Ｃが、所定の間隔をもって並んで配設されている。
【０００４】
各色のインク層領域の間に、ベースフィルム２０１の短手方向に延びる黒マーク２０３が形成されている。すなわち、イエローの塗布開始部には２本の黒マーク２０３が形成され、その他の色の塗布開始部には１本の黒マーク２０３が形成されている。プリンタでは、黒マーク２０３を検出しながらインクリボン２００Ａを巻き取り、黒マーク２０３を２本検知したらイエローの塗布開始部と判断し、黒マーク２０３を１本検出したらイエロー以外の塗布開始部と判断している。
【０００５】
しかし、インクリボンの交換後あるいは電源再起動直後のインクリボン２００Ａの状態によっては、黒マーク検出位置が、イエローの塗布開始部の２本目の黒マーク位置、あるいは２本目の黒マーク２０３を通り過ぎた位置となっていることもあり得る。その状態でイエローの頭出しを行うと、１画像分の未使用インクリボンを送って無駄にすることがある。
【０００６】
そこで、例えば、特許文献１には、図３３（ｂ）に示すように、各色のインク層領域の間に形成される黒マーク２０３をベースフィルム２０１の短手方向にｎ分割、例えば３分割し、イエローの塗布開始部とその他の色の塗布開始部における当該黒マーク２０３のパターンを異なったものとするインクリボン２００Ｂが記載されている。このインクリボン２００Ｂにあっては、インクリボンの交換後あるいは電源再起動直後のインクリボン２００Ｂの状態により、黒マーク検出位置がイエローの塗布開始部の黒マーク位置にあったとしても、黒マーク２０３のパターンからその位置がイエローの塗布開始部であることを検出できる。
【特許文献１】特開２００１−８０１８２号公報
【発明の開示】
【発明が解決しようとする課題】
【０００７】
上述したように、各色のインク層領域の間に黒マークが形成されるインクリボンにあっては、イエロー、マゼンタ、シアンの３つの塗布工程（あるいは、イエロー、マゼンタ、シアン、ラミネートの４つの塗布工程）の他に、黒マークの形成のために黒インクの塗布工程が必要となることから、その分インクリボンが高価なものとなる。
【０００８】
この発明の目的は、製造工程の削減によりインクリボンの低廉化を図ることにある。
【課題を解決するための手段】
【０００９】
この発明の概念は、
長尺状に形成されたベースフィルムと、
上記ベースフィルム上に、該ベースルフィルムの長手方向に所定の間隔をもって並んで配設された複数のインク層領域と、
上記ベースフィルム上の、上記各インク層領域の間に形成された該各インク層領域の先頭を検出するためのセンサマークとを備え、
上記複数のインク層領域は、互いに色が異なる所定数の色のインク層領域の繰り返しからなり、
上記センサマークは、上記所定数の色から選択された色のインク層で構成され、
上記所定数の色のインク層領域の先頭に位置する上記センサマークは、上記ベースフィルムの長手方向に並べて配置された第１の色のインク層および第２の色のインク層により構成され、
上記べースフィルムの走行方向に、上記ベースフィルムの長手方向に並べて配置されたセンサマークの第１の色のインク層および第２の色のインク層と同じ間隔で第１の色センサおよび第２の色センサをそれぞれ配設し、上記センサマークの第１の色のインク層および第２の色のインク層を同時に検出するようにしたプリンタに用いられるインクリボンであって、
上記ベースフィルム上に配設された上記第１の色のインク層領域と第１の色のインク層領域に隣接する上記第２の色のインク層により構成されるセンサマークの上記ベースフィルムの長手方向の互いに対向する端部の間隔は、該第１の色のインク層領域と該第２の色のインク層により構成されるセンサマークが上記第１の色センサおよび上記第２の色センサで同時に検出されないように、上記センサマークの第１の色のインク層と第２の色のインク層の上記ベースフィルムの長手方向の互いに対向する端部の間隔より長くされている
インクリボンにある。
【００１０】
この発明のインクリボンにおいては、長尺状に形成されたベースフィルムの上に、複数のインク層領域が、所定の間隔をもって並んで配設されている。この複数のインク層領域は、互いに色が異なる所定数の色のインク層領域の繰り返しからなるものとされる。例えば、所定数の色は、イエロー、マゼンタおよびシアンの３色、あるいは、イエロー、マゼンタ、シアンおよびラミネート（無色透明）の４色とされる。
【００１１】
ベースフィルム上の各インク層領域の間に、各色のインク層領域の先頭を検出するためのセンサマークが形成される。このセンサマークは、上述の所定数の色から選択された色のインク層で形成される。これにより、黒色インクの塗布は不要となり、製造工程の削減によるインクリボンの低廉化を図ることができる。
【００１２】
この発明において、例えば、所定数の色のインク層領域の先頭に位置するセンサマークは、第１の色のインク層および第２の色のインク層により構成される。これにより、所定数の色のインク層領域の先頭（１画像分のインク層領域の先頭）を検出することが可能となる。
【００１３】
例えば、第１の色のインク層と第２の色のインク層は、ベースフィルムの長手方向に並べて配置される。すなわち、この発明のインクリボンは、ベースフィルムの走行方向に、センサマークの第１の色のインク層および第２の色のインク層と同じ間隔で第１の色センサおよび第２の色センサをそれぞれ配設し、このセンサマークの第１の色のインク層および第２の色のインク層を同時に検出するようにしたプリンタに用いられるインクリボンである。
この場合、センサマークを構成するインク層の色によっては、所定のインク層領域およびセンサマークの並びが、上述の所定数の色のインク層領域の先頭に位置するセンサマークを構成する第１の色のインク層と第２の色のインク層の並びと同じくなって、所定数の色のインク層領域の先頭を誤検出するおそれがある。
【００１４】
そこで、第１の色のインク層と第２の色のインク層とのベースフィルムの長手方向の間隔を第１の間隔とし、ベースフィルム上に配設された第１の色のインク層領域とこの第１の色のインク層領域に隣接する第２の色のインク層により構成されるセンサマークとのベースフィルムの長手方向の間隔を第２の間隔とするとき、第２の間隔は第１の間隔より長くされる。すなわち、ベースフィルム上に配設された第１の色のインク層領域とこの第１の色のインク層領域に隣接する第２の色のインク層により構成されるセンサマークのベースフィルムの長手方向の互いに対向する端部の間隔は、第１の色のインク層領域と第２の色のインク層により構成されるセンサマークが第１の色センサおよび第２の色センサで同時に検出されないように、このセンサマークの第１の色のインク層と第２の色のインク層のベースフィルムの長手方向の互いに対向する端部の間隔より長くされている。これにより、所定のインク層領域およびセンサマークの並びが、所定数の色のインク層領域の先頭と検出される誤りを防止できる。
【００１５】
また、例えば、第１の色のインク層と第２の色のインク層はベースフィルムの短手方向に並べて配置される。この場合、上述した第１の色のインク層と第２の色のインク層がベースフィルムの長手方向に並べて配置されるときのような誤検出のおそれはない。
【発明の効果】
【００１６】
この発明によれば、ベースフィルムの長手方向に所定数の色のインク層領域が繰り返し配設されたインクリボンであって、各色のインク層領域の先頭を検出するためのセンサマークを、上述の所定数の色から選択された色のインク層で構成することにより、黒インク（黒マーク）の塗布を不要とし、製造工程の削減による低廉化を図ることができる。
【発明を実施するための最良の形態】
【００１７】
以下、図面を参照しながら、この発明の実施の形態について説明する。図１は、実施の形態としてのプリンタ１００の構成例を示している。
【００１８】
このプリンタ１００は、ＣＰＵ１０１と、メモリ１０２と、液晶表示パネル１０３と、操作キー部１０４と、画像データインタフェース１０５と、プリント制御ブロック１０６と、ヘッドドライバ１１１と、印刷ヘッド１１２と、プラテン１１３と、モータドライブ１１４，１１５と、モータ１１６，１１７と、キャプスタン１１８と、ピンチローラ１１９と、マークセンサ１２０と、インクリボン１２１と、印画紙１２４とを有している。
【００１９】
ＣＰＵ１０１は、プリンタ１００の各部の動作を制御する。メモリ１０２は、ＣＰＵ１０１に接続されており、例えばＲＯＭおよびＲＡＭにより構成されている。ＲＯＭには、ＣＰＵ１０１の動作プログラム等が記憶されている。ＲＡＭは、ＣＰＵ１０１のワークエリア等として使用される。また、ＲＡＭには、後述する画像データインタフェース１０５を通じて入力された画像データが記憶される。ＣＰＵ１０１は、ＲＯＭから動作プログラムを読み出してＲＡＭ上で展開することで、制御動作を実行する。
【００２０】
液晶表示パネル１０３および操作キー部１０４は、ユーザインタフェースを構成し、ＣＰＵ１０１に接続されている。ユーザは、操作キー部１０４を操作することで、種々の操作入力を行うことができる。液晶表示パネル１０３には、印画すべき画像、ユーザの操作内容、プリンタ１００の動作状態、などが表示される。
【００２１】
画像データインタフェース１０５は、印画すべき画像を入力するためのインタフェースであり、ＣＰＵ１０１に接続されている。この画像データインタフェース１０５により、ＵＳＢ、カードメモリ、イーサネット（登録商標）、ＩＣタグ、ＩｒＤＡ等から、印刷データとしての画像データを入力することができる。入力された画像データはＣＰＵ１０１を通じて、メモリ１０２のＲＡＭに保持される。
【００２２】
ＣＰＵ１０１は、ＤＳＰ１０１ａを備えている。すなわち、ＣＰＵ１０１、画像データインタフェース１０５を通じて入力される入力画像データがＪＰＥＧ等の圧縮画像データである場合には、ＤＳＰ１０１ａにより、当該入力画像データに対して伸長処理を施し、非圧縮画像データを得る。
【００２３】
また、ＣＰＵ１０１は、入力画像データを予めプリントサイズに編集する。例えば、プリンタの分解能が３００ＤＰＩ×３００ＤＰＩで、４インチ×６インチ（はがきサイズ）のプリントの場合、ＣＰＵ１０１は、入力画像データを１２００ドット×１８００ドットに伸縮する。
【００２４】
さらに、ＣＰＵ１０１は、入力画像データの色成分を、イエロー成分のデータと、マゼンタ成分のデータと、シアン成分のデータに分解する。画像をプリントする場合、イエロー成分のデータに基づいてイエローの画像がプリントされ、マゼンタ成分のデータによりマゼンタの画像がプリントされ、シアン成分のデータによりシアンの画像がプリントされる。
【００２５】
イエロー、マゼンタ、シアンは、減色混合の３原色なので、白い印画紙（プリント用紙）に、当該３原色の画像が重ねられることによって、元のカラー画像が再現される。３原色を印画紙に転写する方法には種々ある。この実施の形態におけるプリンタ１００は、３原色のインクが塗布されたインクリボンのインクを印画紙に熱エネルギーによって転写する熱転写型プリンタである。
【００２６】
熱転写型プリンタについてさらに説明する。熱転写型プリンタとは、サーマルヘッドの発熱素子がジュール熱で発熱し、その発熱によってインクリボンに塗布されたインクがインクリボンのベースフィルムから離れ、印画紙の受容層に吸収されることで転写される。
【００２７】
印画紙に転写されるインクの量は、サーマルヘッドの発熱量に正比例して増減する。サーマルヘッドの発熱量が大きいと印画紙に転写されるインク量が多くなるためその色は濃く形成される。逆に、サーマルヘッドの発熱量が小さいと転写されるインク量が少なくなるためその色は淡く形成される。従って、熱転写型プリンタにおいては、サーマルヘッドの発熱素子のジュール熱をコントロールすることで濃淡表現が可能となる。
【００２８】
画像を２次元で表現するには、例えば、サーマルヘッドの発熱素子を１直線上に1200個配置して１列分同時に発熱させて１列分の画像を形成し、インクリボンと印画紙をサーマルヘッドの発熱素子の並びと直交する方向に動かしながら、１列分移動する毎にその列に見合った画像を形成する。１８００列分おこなうことで、上述の１２００ドット×１８００ドットのはがきサイズに画像をプリントできる。
【００２９】
上述したように、熱転写型プリンタにおいては、サーマルヘッドの発熱素子のジュール熱をコントロールすることで濃淡表現を可能にしている。ジュール熱は、下記の（１）式で求められる。
【００３０】
ジュール熱[J]＝電力[ｗ]×通電時間[sec]      ・・・（１）
【００３１】
（１）式により、濃淡表現に応じて電力または通電時間をコントロールすることになるが、レスポンスを考えると通電時間制御が望ましい。したがって、図２に示すように、一列分の時間内でサーマルヘッド個々の濃淡表現に応じた通電時間のコントロールを行なう。図２（ａ）は一列の移動時間を示すラインパルスを示し、図２（ｂ）はヘッド通電時間を示している。通電時間の制御方法としては、「省電力」「高画質」「効率的な制御」などの特徴をもった様々な方法が提案されている。
【００３２】
図１に戻って、プリント制御ブロック１０６は、ＣＰＵ１０１の制御のもと、インクリボン１２１を走行させるインクリボン走行部の動作、印刷ヘッド１１２の動作などを制御する。ヘッドドライバ１１１は、プリント制御ブロック１０６の制御により、印刷ヘッド１１２を駆動する。印刷ヘッド１１２は、発熱素子が一直線上に配置されたライン型サーマルヘッドである。
【００３３】
プラテン１１３は、印刷ヘッド１１２の発熱素子の配置位置と対向する位置に配置される。このプラテン１１３は、印刷ヘッド１１２の発熱素子の発熱によって、インクリボン１２１のインクを確実に印画紙１２４に転写し得るように、インクリボン１２１と印画紙１２４とを圧着させる。
【００３４】
インクリボン１２１は、プリンタ１００の、インクリボン装着部ＰＬＩに装着されている。このインクリボン１２１は、供給側ボビン１２３から引き出され、巻き取り側ボビン１２２で巻き取られる。モータドライブ１１４は、プリント制御ブロック１０６の制御のもと、モータ１１６を駆動する。モータ１１６は、正回転で、巻き取りボビン１２２を回転させ、インクリボン１２１の巻き取り動作を行う。また、モータ１１６は、逆回転で、プラテン１１３の開閉動作を行う。ここで、モータドライブ１１４、モータ１１６、巻き取りボビン１２２は、インクリボンを走行させるインクリボン走行部を構成している。
【００３５】
モータドライブ１１５は、プリント制御ブロック１０６の制御のもと、モータ１１７を駆動する。モータ１１７は、キャプスタン１１８を制御する。キャプスタン１１８はピンチローラ１１９と共に、印画紙１２４を移動させる印画紙移動部を構成している。
【００３６】
詳細は後述するが、インクリボン１２１は、ベースフィルム上に、イエロー（Ｙ）、マゼンタ（Ｍ）、シアン（Ｃ）のインク層領域、あるいは、イエロー（Ｙ）、マゼンタ（Ｍ）、シアン（Ｃ）、ラミネート（Ｌ）のインク層領域が、繰り返し配設された構成となっている。そして、各色のインク層領域の間に、当該各色のインク層領域の先頭を検出するためのセンサマークが形成されている。マークセンサ１２０は、インクリボン１２１の上述したセンサマークを検出する。この検出出力は、プリント制御ブロック１０６に、制御情報として供給される。
【００３７】
マークセンサ１２０は、インクリボン１２１を挟んで互いに対向して配置された発光素子１２０Ａおよび受光素子１２０Ｂにより構成されている。インクリボン１２１およびマークセンサ１２０の詳細については後述する。
【００３８】
次に、図１に示すプリンタ１００の動作を、図３のフローチャートを参照して説明する。なお、この例は、イエロー（Ｙ）、マゼンタ（Ｍ）、シアン（Ｃ）の画像プリントの他に、ラミネートのプリントも行うようにした例である。
【００３９】
まず、ユーザが操作キー部１０４を操作してプリントを指示すると、プリント制御ブロック１０６は、ステップＳＴ１において、プリント動作を開始し、ステップＳＴ２において、印画紙１２４の給紙を行う。次に、プリント制御ブロック１０６は、ステップＳＴ３において、画像形成動作を行う。その後、プリント制御ブロック１０６は、ステップＳＴ４において、印画紙１２４を排紙し、その後に、ステップＳＴ５において、プリント動作を終了する。
【００４０】
ステップＳＴ３の画像形成動作は、以下の通りである。すなわち、プリント制御ブロック１０６は、ステップＳＴ１１において、画像形成動作を開始する。そして、プリント制御ブロック１０６は、ステップＳＴ１２においてイエローの画像をプリントし、ステップＳＴ１３において、マゼンタの画像をプリントし、ステップＳＴ１４において、シアンの画像をプリントし、さらにステップＳＴ１５において、ラミネートをプリントする。そして、プリント制御ブロック１０６は、ステップＳＴ１６において、画像形成動作を終了して、リターンする。
【００４１】
また、ステップＳＴ１２のイエローの画像のプリント動作は、以下の通りである。すなわち、ステップＳＴ２１において、プリント制御ブロック１０６は、イエローの画像プリント動作を開始する。そして、プリント制御ブロック１０６は、ステップＳＴ２２において、インクリボン１２１のイエローインク層領域の頭出しを行う。
【００４２】
次に、プリント制御ブロック１０６は、ステップＳＴ２３において、モータ１１７を駆動し、キャプスタン１１８をプリント方向に回転させ、ステップＳＴ２４において、モータ１１６を駆動し、巻き取りボビン１２２を巻き取り方向に回転させる。そして、プリント制御ブロック１０６は、ステップＳＴ２５において、イエローの画像データに基づいて、ヘッドドライバ１１１により印刷ヘッド１１２を駆動し、印画紙１２４にイエローの画像をプリントする。
【００４３】
プリント制御ブロック１０６は、イエローの画像のプリントが終了すると、ステップＳＴ２６において、キャプスタン１１８の回転を停止し、ステップＳＴ２７において、巻き取りボビン１２２の回転を停止する。そして、プリント制御ブロック１０６は、ステップＳＴ２８において、キャプスタン１１８をプリント方向とは逆方向に回転させ、印画紙１２４を印画ポジションまで戻し、その後、ステップＳＴ２９において、イエローの画像のプリント動作を終了する。
【００４４】
図４のフローチャートは、ステップＳＴ２２のイエローインク層領域の頭出し動作を示している。プリント制御ブロック１０６は、ステップＳＴ３１において、頭出し動作を開始する。そして、プリント制御ブロック１０６は、ステップＳＴ３２において、インクリボン１２１の巻き取りを開始し、その後、ステップＳＴ３３の処理に移る。このステップＳＴ３３において、プリント制御ブロック１０６は、マークセンサ１２０でイエローのインク層領域の先頭位置にあるセンサマーク（イエローのセンサマーク）を検知したか否かを判定する。
【００４５】
イエローのセンサマークを検知していないとき、プリント制御ブロック１０６は、ステップＳＴ３６において、タイムアウトとなったか否かを判定する。ここで、イエローのセンサマークを検知できているはずの時間が経過したときは、タイムアウトと判定する。タイムアウトでないとき、プリント制御ブロック１０６は、ステップＳＴ３３に戻る。一方、タイムアウトとなったとき、「リボンエンド」、「リボン不良」または「モータ不良」が予想されるので、プリント制御ブロック１０６は、ステップＳＴ３７において、エラー動作を行う。
【００４６】
一方、ステップＳＴ３３でイエローのセンサマークを検知したとき、プリント制御ブロック３３は、ステップＳＴ３４において、インクリボン１２１の巻き取りを停止し、ステップＳＴ３５において、リターンする。
【００４７】
図３のマゼンタの画像のプリント、シアンの画像のプリント、ラミネートのプリントも、上述したイエローの画像のプリントと同様の動作となる。なお、図３に示すプリント動作はイエロー、マゼンタ、シアン、ラミネートの４色の場合を示したが、３色の場合には、ラミネートのプリント動作がないことになる。
【００４８】
次に、インクリボン１２１とマークセンサ１２０について説明する。
【００４９】
インクリボンとしては、例えば、図５（ａ）に示すような３色塗布型のものと、図５（ｂ）に示すような４色塗布型のものとが考えられる。３色塗布型のものは、長尺状に形成されたベースフィルム２０１の上に、このベースフィルム２０１の長手方向に、イエロー（Ｙ）のインク層領域２０２Ｙ、マゼンタ（Ｍ）のインク層領域２０２Ｍ、シアン（Ｃ）のインク層領域２０２Ｃが、所定の間隔をもって並んで配設されている。イエロー（Ｙ）、マゼンタ（Ｍ）、シアン（Ｃ）の一組のインク層領域２０２Ｙ，２０２Ｍ，２０２Ｃにより、１画像分のインク層領域が形成されている。
【００５０】
また、４色塗布型のものは、長尺状に形成されたベースフィルム２０１の上に、このベースフィルム２０１の長手方向に、イエロー（Ｙ）のインク層領域２０２Ｙ、マゼンタ（Ｍ）のインク層領域２０２Ｍ、シアン（Ｃ）のインク層領域２０２Ｃ、ラミネート（Ｌ）のインク層領域２０２Ｌが、所定の間隔をもって並んで配設されている。イエロー（Ｙ）、マゼンタ（Ｍ）、シアン（Ｃ）、ラミネート（Ｌ）の一組のインク層領域２０２Ｙ，２０２Ｍ，２０２Ｃ，２０２Ｌにより、１画像分のインク層が形成されている。
【００５１】
また、各色の塗布順としては、プリント特性によって、様々な順番が考えられている。図６（ａ）〜（ｆ）は、３色塗布型の場合の塗布順を示している。図６（ａ）では、イエロー（Ｙ）、マゼンタ（Ｍ）、シアン（Ｃ）の順に各色のインク層領域が配設されている。図６（ｂ）では、イエロー（Ｙ）、シアン（Ｃ）、マゼンタ（Ｍ）の順に各色のインク層領域が配設されている。図６（ｃ）では、シアン（Ｃ）、イエロー（Ｙ）、マゼンタ（Ｍ）の順に各色のインク層領域が配設されている。
【００５２】
図６（ｄ）では、シアン（Ｃ）、マゼンタ（Ｍ）、イエロー（Ｙ）の順に各色のインク層領域が配設されている。図６（ｅ）では、マゼンタ（Ｍ）、イエロー（Ｙ）、シアン（Ｃ）の順に各色のインク層領域が配設されている。図６（ｆ）では、マゼンタ（Ｍ）、シアン（Ｃ）、イエロー（Ｙ）の順に各色のインク層領域が配設されている。
【００５３】
また、図７（ａ）〜（ｆ）は、４色塗布型の場合の塗布順を示している。図７（ａ）では、イエロー（Ｙ）、マゼンタ（Ｍ）、シアン（Ｃ）、ラミネート（Ｌ）の順に各色のインク層領域が配設されている。図７（ｂ）では、イエロー（Ｙ）、シアン（Ｃ）、マゼンタ（Ｍ）、ラミネート（Ｌ）の順に各色のインク層領域が配設されている。図７（ｃ）では、シアン（Ｃ）、イエロー（Ｙ）、マゼンタ（Ｍ）、ラミネート（Ｌ）の順に各色のインク層領域が配設されている。
【００５４】
図７（ｄ）では、シアン（Ｃ）、マゼンタ（Ｍ）、イエロー（Ｙ）、ラミネート（Ｌ）の順に各色のインク層領域が配設されている。図７（ｅ）では、マゼンタ（Ｍ）、イエロー（Ｙ）、シアン（Ｃ）、ラミネート（Ｌ）の順に各色のインク層領域が配設されている。図７（ｆ）では、マゼンタ（Ｍ）、シアン（Ｃ）、イエロー（Ｙ）、ラミネート（Ｌ）の順に各色のインク層領域が配設されている。
【００５５】
この実施の形態において、インクリボン１２１は、上述したように、ベースフィルム２０１上に、イエロー（Ｙ）、マゼンタ（Ｍ）、シアン（Ｃ）のインク層領域、あるいは、イエロー（Ｙ）、マゼンタ（Ｍ）、シアン（Ｃ）、ラミネート（Ｌ）のインク層領域が、繰り返し配設された構成となっている。そして、各色のインク層領域の間に、当該各色のインク層領域の先頭を検出するためのセンサマークが形成されている。
【００５６】
センサマークは、イエロー（Ｙ）、マゼンタ（Ｍ）、シアン（Ｃ）から選択された色のインク層で構成される。インクリボン１２１においては、イエロー（Ｙ）、マゼンタ（Ｍ）、シアン（Ｃ）のインク層領域２０２Ｙ，２０２Ｍ，２０２Ｃの一組が１画像分となっている。あるいは、インクリボン１２１においては、イエロー（Ｙ）、マゼンタ（Ｍ）、シアン（Ｃ）、ラミネート（Ｌ）のインク層領域２０２Ｙ，２０２Ｍ，２０２Ｃ，２０２Ｌの一組が１画像分となっている。各組のインク層領域の先頭に位置するセンサマークは、第１の色のインク層および第２の色のインク層で構成される。
【００５７】
第１の色のインク層および第２の色のインク層が、ベースフィルム２０１の長手方向に並べて配置される場合（縦配置の場合）、マークセンサ１２０は、図８（ａ）に示すように、第１の色のインク層および第２の色のインク層の配置に対応して、ベースフィルム２０１の長手方向に並べて配置された、第１の色センサおよび第２の色センサにより構成される。
【００５８】
一方、第１の色のインク層および第２の色のインク層が、ベースフィルム２０１の短手方向に並べて配置される場合（横配置の場合）、マークセンサ１２０は、図８（ｂ）に示すように、第１の色のインク層および第２の色のインク層の配置に対応して、ベースフィルム２０１の短手方向に並べて配置された、第１の色センサおよび第２の色センサにより構成される。
【００５９】
以下に、インクリボン１２１の構成例と、その場合のマークセンサ１２０の構成例について説明する。まず、インクリボン１２１が３色塗布型である場合について説明する。図９（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【００６０】
このインクリボン１２１において、各組のインク層領域の先頭、つまりイエローのインク層領域２０２Ｙの先頭を検出するセンサマークＳＭは、シアン（Ｃ）のインク層１３０Ｃとイエロー（Ｙ）のインク層１３０Ｙとが縦配置、つまりベースフィルム２０１の長手方向に並べて配置されて構成されている。また、このインクリボン１２１において、マゼンタのインク層領域２０２Ｍの先頭を検出するセンサマークＳＭ、およびシアンのインク層領域２０２Ｃの先頭を検出するセンサマークＳＭは、シアン（Ｃ）のインク層１３０Ｃにより構成されている。
【００６１】
図９（ａ）に示すインクリボン１２１に対して、マークセンサ１２０は、ベースフィルム２０１の長手方向に並べて配置された、シアン（Ｃ）のセンサ１２０Ｃと、イエロー（Ｙ）のセンサ１２０Ｙとから構成されている。センサ１２０Ｃとセンサ１２０Ｙの間隔は、イエローのインク層領域２０２Ｙの先頭を検出するセンサマークＳＭを構成するシアン（Ｃ）のインク層１３０Ｃとイエロー（Ｙ）のインク層１３０Ｙの間隔とほぼ等しくされる。
【００６２】
ここで、イエロー（Ｙ）、マゼンタ（Ｍ）、シアン（Ｃ）の各色のインク層と、それらを検出するイエロー（Ｙ）、マゼンタ（Ｍ）、シアン（Ｃ）の各色のセンサについて説明する。
【００６３】
図１０（ａ）は、インクリボン１２１におけるイエローのインク層の透過特性の一例を示している。図１０（ｂ）は、インクリボン１２１におけるマゼンタのインク層の透過特性の一例を示している。図１０（ｃ）は、インクリボン１２１におけるシアンのインク層の透過特性の一例を示している。
【００６４】
また、図１１は、発光素子としての白色ＬＥＤ（Light Emitting Diode）の発光スペクトルの一例を示している。また、図１２の曲線ａは、受光素子としての青色センサの受光感度の一例を示している。図１２の曲線ｂは、受光素子としての緑色センサの受光感度の一例を示している。図１２の曲線ｃは、受光素子としての赤色センサの受光感度の一例を示している。
【００６５】
以上から、図１３（ａ）に示すように、白色ＬＥＤと色センサとをインクリボンを介して対向させて配置した場合、インクリボンのイエロー（Ｙ）、マゼンタ（Ｍ）、シアン（Ｃ）、ラミネート（Ｌ）の各色のインク層に対して、赤色、緑色、青色の各色センサの出力は、図１３（ｂ）に示すように得られる。
【００６６】
図１４（ａ），（ｂ）は、インクリボン１２１のイエローのインク層を検出するためのイエローセンサの構成例を示している。図１４（ａ）は、発光素子としての白色（可視光）ＬＥＤと、受光素子としての青色センサとが、インクリボン１２１を介して、対向配置された構成とされている。
【００６７】
白色ＬＥＤの発光スペクトルは、図１１に示すように、赤色（Ｒ）、緑色（Ｇ）、青色（Ｂ）の各色の波長成分を持っている。しかし、イエローのインク層は、図１０（ａ）に透過特性を示すように、青色（Ｂ）の波長成分を通さない。したがって、イエローのインク層にあっては、青色センサに青色（Ｂ）の波長成分は入射されない。そのため、当該青色センサの検出出力は、イエローのインク層にあっては“Ｌ”となり、その他の色のインク層にあっては“Ｈ”となる。
【００６８】
図１４（ｂ）は、発光素子としての青色ＬＥＤと、受光素子としての可視光センサとが、インクリボン１２１を介して、対向配置された構成とされている。青色ＬＥＤの発光スペクトルは青色（Ｂ）の波長成分を持っている。しかし、イエローのインク層は、図１０（ａ）に透過特性を示すように、青色（Ｂ）の波長成分を通さない。したがって、イエローのインク層にあっては、可視光センサに青色（Ｂ）の波長成分は入射されない。そのため、当該可視光センサの検出出力は、イエローのインク層にあっては“Ｌ”となり、その他の色のインク層にあっては“Ｈ”となる。
【００６９】
図１５（ａ），（ｂ）は、インクリボン１２１のマゼンタのインク層を検出するためのマゼンタセンサの構成例を示している。図１５（ａ）は、発光素子としての白色（可視光）ＬＥＤと、受光素子としての緑色センサとが、インクリボン１２１を介して、対向配置された構成とされている。
【００７０】
白色ＬＥＤの発光スペクトルは、図１１に示すように、赤色（Ｒ）、緑色（Ｇ）、青色（Ｂ）の各色の波長成分を持っている。しかし、マゼンタのインク層は、図１０（ｂ）に透過特性を示すように、緑色（Ｇ）の波長成分を通さない。したがって、マゼンタのインク層にあっては、緑色センサに緑色（Ｇ）の波長成分は入射されない。そのため、当該緑色センサの検出出力は、マゼンタのインク層にあっては“Ｌ”となり、その他の色のインク層にあっては“Ｈ”となる。
【００７１】
図１５（ｂ）は、発光素子としての緑色ＬＥＤと、受光素子としての可視光センサとが、インクリボン１２１を介して、対向配置された構成とされている。緑色ＬＥＤの発光スペクトルは緑色（Ｇ）の波長成分を持っている。しかし、マゼンタのインク層は、図１０（ｂ）に透過特性を示すように、緑色（Ｇ）の波長成分を通さない。したがって、マゼンタのインク層にあっては、可視光センサに緑色（Ｇ）の波長成分は入射されない。そのため、当該可視光センサの検出出力は、マゼンタのインク層にあっては“Ｌ”となり、その他の色のインク層にあっては“Ｈ”となる。
【００７２】
図１６（ａ），（ｂ）は、インクリボン１２１のシアンのインク層を検出するためのシアンセンサの構成例を示している。図１６（ａ）は、発光素子としての白色（可視光）ＬＥＤと、受光素子としての赤色センサとが、インクリボン１２１を介して、対向配置された構成とされている。
【００７３】
白色ＬＥＤの発光スペクトルは、図１１に示すように、赤色（Ｒ）、緑色（Ｇ）、青色（Ｂ）の各色の波長成分を持っている。しかし、シアンのインク層は、図１０（ｃ）に透過特性を示すように、赤色（Ｒ）の波長成分を通さない。したがって、シアンのインク層にあっては、赤色センサに赤色（Ｒ）の波長成分は入射されない。そのため、当該赤色センサの検出出力は、シアンのインク層にあっては“Ｌ”となり、その他の色のインク層にあっては“Ｈ”となる。
【００７４】
図１６（ｂ）は、発光素子としての赤色ＬＥＤと、受光素子としての可視光センサとが、インクリボン１２１を介して、対向配置された構成とされている。赤色ＬＥＤの発光スペクトルは赤色（Ｒ）の波長成分を持っている。しかし、シアンのインク層は１０（ｃ）に透過特性を示すように、赤色（Ｒ）の波長成分を通さない。したがって、シアンのインク層にあっては、可視光センサに赤色（Ｒ）の波長成分は入射されない。そのため、当該可視光センサの検出出力は、シアンのインク層にあっては“Ｌ”となり、その他の色のインク層にあっては“Ｈ”となる。
【００７５】
また、図９（ｂ）は、ベースフィルム２０１上にイエロー（Ｙ）、マゼンタ（Ｍ）、シアン（Ｃ）の順に各色のインク層領域が繰り返し配設されたインクリボン１２１の例である。
【００７６】
このインクリボン１２１において、各組のインク層領域の先頭、つまりイエローのインク層領域２０２Ｙの先頭を検出するセンサマークＳＭは、イエロー（Ｙ）のインク層１３０Ｙと、シアン（Ｃ）のインク層１３０Ｃとが横配置、つまりベースフィルム２０１の短手方向に並べて配置されて構成されている。また、このインクリボン１２１において、マゼンタのインク層領域２０２Ｍの先頭を検出するセンサマークＳＭ、およびシアンのインク層領域２０２Ｃの先頭を検出するセンサマークＳＭは、シアン（Ｃ）のインク層１３０Ｃにより構成されている。
【００７７】
図９（ｂ）に示すインクリボン１２１に対して、マークセンサ１２０は、ベースフィルム２０１の短手方向に並べて配置された、イエロー（Ｙ）のセンサ１２０Ｙと、シアン（Ｃ）のセンサ１２０Ｃとから構成されている。センサ１２０Ｙとセンサ１２０Ｃの間隔は、イエローのインク層領域２０２Ｙの先頭を検出するセンサマークＳＭを構成するイエロー（Ｙ）のインク層１３０Ｙと、シアン（Ｃ）のインク層１３０Ｃとの間隔とほぼ等しくされる。
【００７８】
また、図１７（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【００７９】
このインクリボン１２１において、各組のインク層領域の先頭、つまりイエローのインク層領域２０２Ｙの先頭を検出するセンサマークＳＭは、イエロー（Ｙ）のインク層１３０Ｙと、シアン（Ｃ）のインク層１３０Ｃとが縦配置、つまりベースフィルム２０１の長手方向に並べて配置されて構成されている。また、このインクリボン１２１において、マゼンタのインク層領域２０２Ｍの先頭を検出するセンサマークＳＭ、およびシアンのインク層領域２０２Ｃの先頭を検出するセンサマークＳＭは、シアン（Ｃ）のインク層１３０Ｃにより構成されている。
【００８０】
図１７（ａ）に示すインクリボン１２１に対して、マークセンサ１２０は、ベースフィルム２０１の長手方向に並べて配置された、イエロー（Ｙ）のセンサ１２０Ｙと、シアン（Ｃ）のセンサ１２０Ｃとから構成されている。センサ１２０Ｙとセンサ１２０Ｃの間隔は、イエローのインク層領域２０２Ｙの先頭を検出するセンサマークＳＭを構成するイエロー（Ｙ）のインク層１３０Ｙと、シアン（Ｃ）のインク層１３０Ｃとの間隔とほぼ等しくされる。
【００８１】
この図１７（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【００８２】
このような誤検出を防止するために、図１７（ｂ）に示すように、イエロー（Ｙ）のインク層領域２０２Ｙと、マゼンタ（Ｍ）の先頭を検出するセンサマークＳＭを構成するシアンのインク層１３０Ｃとの間隔は、イエローのインク層領域２０２Ｙの先頭を検出するセンサマークＳＭを構成するイエロー（Ｙ）のインク層１３０Ｙと、シアン（Ｃ）のインク層１３０Ｃとの間隔より長くされる。
【００８３】
また、図１８（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【００８４】
このインクリボン１２１において、各組のインク層領域の先頭、つまりイエローのインク層領域２０２Ｙの先頭を検出するセンサマークＳＭは、シアン（Ｃ）のインク層１３０Ｃとマゼンタ（Ｍ）のインク層１３０Ｍとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはシアン（Ｃ）のインク層１３０Ｃにより構成されている。
【００８５】
図１８（ａ）に示すインクリボン１２１に対して、マークセンサ１２０は、ベースフィルム２０１の長手方向に並べて配置された、シアン（Ｃ）のセンサ１２０Ｃと、マゼンタ（Ｍ）のセンサ１２０Ｍとから構成されている。センサ１２０Ｃとセンサ１２０Ｍの間隔は、イエローのインク層領域２０２Ｙの先頭を検出するセンサマークＳＭを構成するシアン（Ｃ）のインク層１３０Ｃとマゼンタ（Ｍ）のインク層１３０Ｍの間隔とほぼ等しくされる。
【００８６】
また、図１８（ｂ）は、ベースフィルム２０１上にイエロー（Ｙ）、マゼンタ（Ｍ）、シアン（Ｃ）の順に各色のインク層領域が繰り返し配設されたインクリボン１２１の例である。
【００８７】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、シアン（Ｃ）のインク層１３０Ｃとが横配置、つまりベースフィルム２０１の短手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはシアン（Ｃ）のインク層１３０Ｃにより構成されている。
【００８８】
図１８（ｂ）に示すインクリボン１２１に対して、マークセンサ１２０は、ベースフィルム２０１の短手方向に並べて配置された、マゼンタ（Ｍ）のセンサ１２０Ｍと、シアン（Ｃ）のセンサ１２０Ｃとから構成されている。センサ１２０Ｍとセンサ１２０Ｃの間隔は、イエローのインク層領域２０２Ｙの先頭を検出するセンサマークＳＭを構成するマゼンタ（Ｍ）のインク層１３０Ｍと、シアン（Ｃ）のインク層１３０Ｃとの間隔とほぼ等しくされる。
【００８９】
また、図１９（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【００９０】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、シアン（Ｃ）のインク層１３０Ｃとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはシアン（Ｃ）のインク層１３０Ｃにより構成されている。
【００９１】
図１９（ａ）に示すインクリボン１２１に対して、マークセンサ１２０は、ベースフィルム２０１の長手方向に並べて配置された、マゼンタ（Ｍ）のセンサ１２０Ｍと、シアン（Ｃ）のセンサ１２０Ｃとから構成されている。センサ１２０Ｍとセンサ１２０Ｃの間隔は、イエローのインク層領域２０２Ｙの先頭を検出するセンサマークＳＭを構成するマゼンタ（Ｍ）のインク層１３０Ｍと、シアン（Ｃ）のインク層１３０Ｃとの間隔とほぼ等しくされる。
【００９２】
この図１９（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【００９３】
このような誤検出を防止するために、図１９（ｂ）に示すように、マゼンタ（Ｍ）のインク層領域２０２Ｍと、シアン（Ｃ）の先頭を検出するセンサマークＳＭを構成するシアンのインク層１３０Ｃとの間隔は、イエローのインク層領域２０２Ｙの先頭を検出するセンサマークＳＭを構成するマゼンタ（Ｍ）のインク層１３０Ｍと、シアン（Ｃ）のインク層１３０Ｃとの間隔より長くされる。
【００９４】
また、図２０（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【００９５】
このインクリボン１２１において、各組のインク層領域の先頭、つまりイエローのインク層領域２０２Ｙの先頭を検出するセンサマークＳＭは、イエロー（Ｙ）のインク層１３０Ｙと、マゼンタ（Ｍ）のインク層１３０Ｍとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはイエロー（Ｙ）のインク層１３０Ｙにより構成されている。
【００９６】
図２０（ａ）に示すインクリボン１２１に対して、マークセンサ１２０は、ベースフィルム２０１の長手方向に並べて配置された、イエロー（Ｙ）のセンサ１２０Ｙと、マゼンタ（Ｍ）のセンサ１２０Ｍとから構成されている。センサ１２０Ｙとセンサ１２０Ｍの間隔は、イエローのインク層領域２０２Ｙの先頭を検出するセンサマークＳＭを構成するイエロー（Ｙ）のインク層１３０Ｙと、マゼンタ（Ｍ）のインク層１３０Ｍとの間隔とほぼ等しくされる。
【００９７】
この図２０（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【００９８】
このような誤検出を防止するために、図２０（ｂ）に示すように、イエロー（Ｙ）のインク層領域２０２Ｙと、マゼンタ（Ｍ）のインク層領域２０２Ｍの先頭を検出するセンサマークＳＭを構成するマゼンタ（Ｍ）のインク層１３０Ｍとの間隔は、イエローのインク層領域２０２Ｙの先頭を検出するセンサマークＳＭを構成するイエロー（Ｙ）のインク層１３０Ｙと、マゼンタ（Ｍ）のインク層１３０Ｍとの間隔より長くされる。
【００９９】
また、図２０（ｃ）は、ベースフィルム２０１上にイエロー（Ｙ）、マゼンタ（Ｍ）、シアン（Ｃ）の順に各色のインク層領域が繰り返し配設されたインクリボン１２１の例である。
【０１００】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、イエロー（Ｙ）のインク層１３０Ｙとが横配置、つまりベースフィルム２０１の短手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはイエロー（Ｙ）のインク層１３０Ｙにより構成されている。
【０１０１】
図２０（ｃ）に示すインクリボン１２１に対して、マークセンサ１２０は、ベースフィルム２０１の短手方向に並べて配置された、マゼンタ（Ｍ）のセンサ１２０Ｍと、イエロー（Ｙ）のセンサ１２０Ｙとから構成されている。センサ１２０Ｍとセンサ１２０Ｙの間隔は、イエローのインク層領域２０２Ｙの先頭を検出するセンサマークＳＭを構成するマゼンタ（Ｍ）のインク層１３０Ｍと、イエロー（Ｙ）のインク層１３０Ｙとの間隔とほぼ等しくされる。
【０１０２】
また、図２１（ａ）は、ベースフィルム２０１上にイエロー（Ｙ）、マゼンタ（Ｍ）、シアン（Ｃ）の順に各色のインク層領域が繰り返し配設されたインクリボン１２１の例である。
【０１０３】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、イエロー（Ｙ）のインク層１３０Ｙとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアン（Ｃ）のインク層領域２０２Ｃの先頭を検出するセンサマークＳＭはイエロー（Ｙ）のインク層１３０Ｙにより構成されている。
【０１０４】
図２１（ａ）に示すインクリボン１２１に対して、マークセンサ１２０は、ベースフィルム２０１の長手方向に並べて配置された、マゼンタ（Ｍ）のセンサ１２０Ｍと、イエロー（Ｙ）のセンサ１２０Ｙとから構成されている。センサ１２０Ｍとセンサ１２０Ｙの間隔は、イエローのインク層領域２０２Ｙの先頭を検出するセンサマークＳＭを構成するマゼンタ（Ｍ）のインク層１３０Ｍとイエロー（Ｙ）のインク層１３０Ｙとの間隔とほぼ等しくされる。
【０１０５】
この図２１（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１０６】
このような誤検出を防止するために、図２１（ｂ）に示すように、マゼンタ（Ｍ）のインク層領域２０２Ｍと、シアン（Ｃ）のインク層領域２０２Ｃの先頭を検出するセンサマークＳＭを構成するイエロー（Ｙ）のインク層１３０Ｙとの間隔は、イエローのインク層領域２０２Ｙの先頭を検出するセンサマークＳＭを構成するマゼンタ（Ｍ）のインク層１３０Ｍと、イエロー（Ｙ）のインク層１３０Ｙとの間隔より長くされる。
【０１０７】
次に、インクリボン１２１が４色塗布型である場合について説明する。図２２（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１０８】
このインクリボン１２１において、各組のインク層領域の先頭、つまりイエローのインク層領域２０２Ｙの先頭を検出するセンサマークＳＭは、シアン（Ｃ）のインク層１３０Ｃと、イエロー（Ｙ）のインク層１３０Ｙとが縦配置、つまりベースフィルム２０１の長手方向に並べて配置されて構成されている。また、このインクリボン１２１において、マゼンタのインク層領域２０２Ｍの先頭を検出するセンサマークＳＭはシアン（Ｃ）のインク層１３０Ｃにより構成されている。また、このインクリボン１２１において、シアンのインク層領域２０２Ｃの先頭を検出するセンサマークＳＭはイエロー（Ｙ）のインク層１３０Ｙにより構成されている。また、ラミネートのインク層領域２０２Ｌの先頭を検出するセンサマークＳＭはイエロー（Ｙ）のインク層１３０Ｙにより構成されている。
【０１０９】
図２２（ａ）に示すインクリボン１２１に対して、マークセンサ１２０は、ベースフィルム２０１の長手方向に並べて配置された、シアン（Ｃ）のセンサ１２０Ｃと、イエロー（Ｙ）のセンサ１２０Ｙとから構成されている。センサ１２０Ｃとセンサ１２０Ｙの間隔は、イエローのインク層領域２０２Ｙの先頭を検出するセンサマークＳＭを構成するシアン（Ｃ）のインク層１３０Ｃと、イエロー（Ｙ）のインク層１３０Ｙとの間隔とほぼ等しくされる。
【０１１０】
この図２２（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１１１】
このような誤検出を防止するために、図２２（ｂ）に示すように、シアン（Ｃ）のインク層領域２０２Ｃと、ラミネート（Ｌ）のインク層領域２０２Ｌの先頭を検出するセンサマークＳＭを構成するイエロー（Ｙ）のインク層１３０Ｙとの間隔は、イエローのインク層領域２０２Ｙの先頭を検出するセンサマークＳＭを構成するシアン（Ｃ）のインク層１３０Ｃと、イエロー（Ｙ）のインク層１３０Ｙとの間隔より長くされる。
【０１１２】
また、図２２（ｃ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１１３】
このインクリボン１２１において、各組のインク層領域の先頭、つまりイエローのインク層領域２０２Ｙの先頭を検出するセンサマークＳＭは、イエロー（Ｙ）のインク層１３０Ｙと、シアン（Ｃ）のインク層１３０Ｃとが横配置、つまりベースフィルム２０１の短手方向に並べて配置されて構成されている。また、このインクリボン１２１において、マゼンタのインク層領域２０２Ｍの先頭を検出するセンサマークＳＭはシアン（Ｃ）のインク層１３０Ｃにより構成されている。また、このインクリボン１２１において、シアンのインク層領域２０２Ｃの先頭を検出するセンサマークＳＭはシアン（Ｃ）のインク層１３０Ｃにより構成されている。また、このインクリボン１２１において、ラミネートのインク層領域２０２Ｌの先頭を検出するセンサマークＳＭはイエロー（Ｙ）のインク層１３０Ｙにより構成されている。
【０１１４】
図２２（ｃ）に示すインクリボン１２１に対して、マークセンサ１２０は、ベースフィルム２０１の短手方向に並べて配置された、イエロー（Ｙ）のセンサ１２０Ｙと、シアン（Ｃ）のセンサ１２０Ｃとから構成されている。センサ１２０Ｙとセンサ１２０Ｃの間隔は、イエローのインク層領域２０２Ｙの先頭を検出するセンサマークＳＭを構成するイエロー（Ｙ）のインク層１３０Ｙと、シアン（Ｃ）のインク層１３０Ｃとの間隔とほぼ等しくされる。
【０１１５】
また、図２３（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１１６】
このインクリボン１２１において、各組のインク層領域の先頭、つまりイエローのインク層領域２０２Ｙの先頭を検出するセンサマークＳＭは、イエロー（Ｙ）のインク層１３０Ｙと、シアン（Ｃ）のインク層１３０Ｃとが縦配置、つまりベースフィルム２０１の長手方向に並べて配置されて構成されている。また、このインクリボン１２１において、マゼンタのインク層領域２０２Ｍの先頭を検出するセンサマークＳＭはシアン（Ｃ）のインク層１３０Ｃにより構成されている。また、このインクリボン１２１において、シアン（Ｃ）のインク層領域２０２Ｃの先頭を検出するセンサマークＳＭはシアン（Ｃ）のインク層１３０Ｃにより構成されている。また、このインクリボン１２１において、ラミネート（Ｌ）のインク層領域２０２Ｌの先頭を検出するセンサマークＳＭはイエロー（Ｙ）のインク層１３０Ｙにより構成されている。
【０１１７】
図２３（ａ）に示すインクリボン１２１に対して、マークセンサ１２０は、ベースフィルム２０１の長手方向に並べて配置された、イエロー（Ｙ）のセンサ１２０Ｙと、シアン（Ｃ）のセンサ１２０Ｃとから構成されている。センサ１２０Ｙとセンサ１２０Ｃの間隔は、イエローのインク層領域２０２Ｙの先頭を検出するセンサマークＳＭを構成するイエロー（Ｙ）のインク層１３０Ｙとシアン（Ｃ）のインク層１３０Ｃとの間隔とほぼ等しくされる。
【０１１８】
この図２３（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１１９】
このような誤検出を防止するために、図２３（ｂ）に示すように、イエロー（Ｙ）のインク層領域２０２Ｙと、マゼンタ（Ｍ）のインク層領域２０２Ｍの先頭を検出するセンサマークＳＭを構成するシアン（Ｃ）のインク層１３０Ｃとの間隔は、イエローのインク層領域２０２Ｙの先頭を検出するセンサマークＳＭを構成するイエロー（Ｙ）のインク層１３０Ｙと、シアン（Ｃ）のインク層１３０Ｃとの間隔より長くされる。
【０１２０】
また、図２４（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１２１】
このインクリボン１２１において、各組のインク層領域の先頭、つまりイエローのインク層領域２０２Ｙの先頭を検出するセンサマークＳＭは、シアン（Ｃ）のインク層１３０Ｃと、マゼンタ（Ｍ）のインク層１３０Ｍとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはシアン（Ｃ）のインク層１３０Ｃにより構成されている。また、ラミネートのインク層領域２０２Ｌの先頭を検出するセンサマークＳＭはマゼンタ（Ｍ）のインク層１３０Ｍにより構成されている。
【０１２２】
図２４（ａ）に示すインクリボン１２１に対して、マークセンサ１２０は、ベースフィルム２０１の長手方向に並べて配置された、シアン（Ｃ）のセンサ１２０Ｃと、マゼンタ（Ｍ）のセンサ１２０Ｍとから構成されている。センサ１２０Ｃとセンサ１２０Ｍの間隔は、イエローのインク層領域２０２Ｙの先頭を検出するセンサマークＳＭを構成するシアン（Ｃ）のインク層１３０Ｃと、マゼンタ（Ｍ）のインク層１３０Ｍとの間隔とほぼ等しくされる。
【０１２３】
この図２４（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１２４】
このような誤検出を防止するために、図２４（ｂ）に示すように、シアン（Ｃ）のインク層領域２０２Ｃと、ラミネート（Ｌ）のインク層領域２０２Ｌの先頭を検出するセンサマークＳＭを構成するマゼンタ（Ｍ）のインク層１３０Ｍとの間隔は、イエローのインク層領域２０２Ｙの先頭を検出するセンサマークＳＭを構成するシアン（Ｃ）のインク層１３０Ｃと、マゼンタ（Ｍ）のインク層１３０Ｍとの間隔より長くされる。
【０１２５】
また、図２４（ｃ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１２６】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、シアン（Ｃ）のインク層１３０Ｃとが横配置、つまりベースフィルム２０１の短手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはシアン（Ｃ）のインク層１３０Ｃにより構成されている。また、このインクリボン１２１において、ラミネートのインク層領域２０２Ｌの先頭を検出するセンサマークＳＭはマゼンタ（Ｍ）のインク層１３０Ｍにより構成されている。
【０１２７】
図２４（ｃ）に示すインクリボン１２１に対して、マークセンサ１２０は、ベースフィルム２０１の短手方向に並べて配置された、マゼンタ（Ｍ）のセンサ１２０Ｍと、シアン（Ｃ）のセンサ１２０Ｃとから構成されている。センサ１２０Ｍとセンサ１２０Ｃの間隔は、イエローのインク層領域２０２Ｙの先頭を検出するセンサマークＳＭを構成するマゼンタ（Ｍ）のインク層１３０Ｍと、シアン（Ｃ）のインク層１３０Ｃとの間隔とほぼ等しくされる。
【０１２８】
また、図２５（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１２９】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、シアン（Ｃ）のインク層１３０Ｃとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアン（Ｃ）のインク層領域２０２Ｃの先頭を検出するセンサマークＳＭはシアン（Ｃ）のインク層１３０Ｃにより構成されている。また、このインクリボン１２１において、ラミネート（Ｌ）のインク層領域２０２Ｌの先頭を検出するセンサマークＳＭはマゼンタ（Ｍ）のインク層１３０Ｍにより構成されている。
【０１３０】
図２５（ａ）に示すインクリボン１２１に対して、マークセンサ１２０は、ベースフィルム２０１の長手方向に並べて配置された、マゼンタ（Ｍ）のセンサ１２０Ｍと、シアン（Ｃ）のセンサ１２０Ｃとから構成されている。センサ１２０Ｍとセンサ１２０Ｃの間隔は、イエローのインク層領域２０２Ｙの先頭を検出するセンサマークＳＭを構成するマゼンタ（Ｍ）のインク層１３０Ｍとシアン（Ｃ）のインク層１３０Ｃとの間隔とほぼ等しくされる。
【０１３１】
この図２５（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１３２】
このような誤検出を防止するために、図２５（ｂ）に示すように、マゼンタ（Ｍ）のインク層領域２０２Ｍと、シアン（Ｃ）のインク層領域２０２Ｃの先頭を検出するセンサマークＳＭを構成するシアン（Ｃ）のインク層１３０Ｃとの間隔は、イエローのインク層領域２０２Ｙの先頭を検出するセンサマークＳＭを構成するマゼンタ（Ｍ）のインク層１３０Ｍと、シアン（Ｃ）のインク層１３０Ｃとの間隔より長くされる。
【０１３３】
また、図２６（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１３４】
このインクリボン１２１において、各組のインク層領域の先頭、つまりイエローのインク層領域２０２Ｙの先頭を検出するセンサマークＳＭは、イエロー（Ｙ）のインク層１３０Ｙと、マゼンタ（Ｍ）のインク層１３０Ｍとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはイエロー（Ｙ）のインク層１３０Ｙにより構成されている。また、ラミネートのインク層領域２０２Ｌの先頭を検出するセンサマークＳＭはイエロー（Ｙ）のインク層１３０Ｙにより構成されている。
【０１３５】
図２６（ａ）に示すインクリボン１２１に対して、マークセンサ１２０は、ベースフィルム２０１の長手方向に並べて配置された、イエロー（Ｙ）のセンサ１２０Ｙと、マゼンタ（Ｍ）のセンサ１２０Ｍとから構成されている。センサ１２０Ｙとセンサ１２０Ｍの間隔は、イエローのインク層領域２０２Ｙの先頭を検出するセンサマークＳＭを構成するイエロー（Ｙ）のインク層１３０Ｙと、マゼンタ（Ｍ）のインク層１３０Ｍとの間隔とほぼ等しくされる。
【０１３６】
この図２６（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１３７】
このような誤検出を防止するために、図２６（ｂ）に示すように、イエロー（Ｙ）のインク層領域２０２Ｙと、マゼンタ（Ｍ）のインク層領域２０２Ｍの先頭を検出するセンサマークＳＭを構成するマゼンタ（Ｍ）のインク層１３０Ｍとの間隔は、イエローのインク層領域２０２Ｙの先頭を検出するセンサマークＳＭを構成するイエロー（Ｙ）のインク層１３０Ｙと、マゼンタ（Ｍ）のインク層１３０Ｍとの間隔より長くされる。
【０１３８】
また、図２６（ｃ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１３９】
このインクリボン１２１において、各組のインク層領域の先頭、つまりイエローのインク層領域２０２Ｙの先頭を検出するセンサマークＳＭは、イエロー（Ｙ）のインク層１３０Ｙと、マゼンタ（Ｍ）のインク層１３０Ｍとが横配置、つまりベースフィルム２０１の短手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアンのインク層領域２０２Ｃの先頭を検出するセンサマークＳＭはイエロー（Ｙ）のインク層１３０Ｙにより構成されている。また、このインクリボン１２１において、ラミネートのインク層領域２０２Ｌの先頭を検出するセンサマークＳＭはマゼンタ（Ｍ）のインク層１３０Ｍにより構成されている。
【０１４０】
図２６（ｃ）に示すインクリボン１２１に対して、マークセンサ１２０は、ベースフィルム２０１の短手方向に並べて配置された、イエロー（Ｙ）のセンサ１２０Ｙと、マゼンタ（Ｍ）のセンサ１２０Ｍとから構成されている。センサ１２０Ｙとセンサ１２０Ｍの間隔は、イエローのインク層領域２０２Ｙの先頭を検出するセンサマークＳＭを構成するイエロー（Ｙ）のインク層１３０Ｙと、マゼンタ（Ｍ）のインク層１３０Ｍとの間隔とほぼ等しくされる。
【０１４１】
また、図２７（ａ）は、ベースフィルム２０１上にイエロー（Ｙ）、マゼンタ（Ｍ）、シアン（Ｃ）、ラミネート（Ｌ）の順に各色のインク層領域が繰り返し配設されたインクリボン１２１の例である。
【０１４２】
このインクリボン１２１において、各組のインク層領域の先頭、つまりイエローのインク層領域２０２Ｙの先頭を検出するセンサマークＳＭは、マゼンタ（Ｍ）のインク層１３０Ｍと、イエロー（Ｙ）のインク層１３０Ｙとが縦配置、つまりベースフィルム２０１の長手方向に並べて配置されて構成されている。また、このインクリボン１２１において、マゼンタのインク層領域２０２Ｍの先頭を検出するセンサマークＳＭはマゼンタ（Ｍ）のインク層１３０Ｍにより構成されている。また、このインクリボン１２１において、シアン（Ｃ）のインク層領域２０２Ｃの先頭を検出するセンサマークＳＭはイエロー（Ｙ）のインク層１３０Ｙにより構成されている。また、このインクリボン１２１において、ラミネート（Ｌ）のインク層領域２０２Ｌの先頭を検出するセンサマークＳＭはマゼンタ（Ｍ）のインク層１３０Ｍにより構成されている。
【０１４３】
図２７（ａ）に示すインクリボン１２１に対して、マークセンサ１２０は、ベースフィルム２０１の長手方向に並べて配置された、マゼンタ（Ｍ）のセンサ１２０Ｍと、イエロー（Ｙ）のセンサ１２０Ｙとから構成されている。センサ１２０Ｍとセンサ１２０Ｙの間隔は、イエローのインク層領域２０２Ｙの先頭を検出するセンサマークＳＭを構成するマゼンタ（Ｍ）のインク層１３０Ｍとイエロー（Ｙ）のインク層１３０Ｙとの間隔とほぼ等しくされる。
【０１４４】
この図２７（ａ）に示すインクリボン１２１およびマークセンサ１２０の構成において、マークセンサ１２０の検出出力は、その位置が破線位置となった場合にも、その位置が実線位置（イエロー（Ｙ）のインク層領域２０２Ｙの先頭位置）にある場合と同じくなり、破線位置を実線位置であるとする誤検出につながる。
【０１４５】
このような誤検出を防止するために、図２７（ｂ）に示すように、マゼンタ（Ｍ）のインク層領域２０２Ｍと、シアン（Ｃ）のインク層領域２０２Ｃの先頭を検出するセンサマークＳＭを構成するイエロー（Ｙ）のインク層１３０Ｙとの間隔は、イエローのインク層領域２０２Ｙの先頭を検出するセンサマークＳＭを構成するマゼンタ（Ｍ）のインク層１３０Ｍと、イエロー（Ｙ）のインク層１３０Ｙとの間隔より長くされる。
【０１４６】
なお、上述のインクリボン１２１およびマークセンサ１２０の構成例においては、ベースフィルム２０１上にイエロー（Ｙ）、マゼンタ（Ｍ）、シアン（Ｃ）（あるいは、イエロー（Ｙ）、マゼンタ（Ｍ）、シアン（Ｃ）、ラミネート（Ｌ））の順に各色のインク層領域が繰り返し配設されたインクリボン１２１の例を示した。詳細説明は省略するが、各色の順番が上述とは異なるものにあっても（図６、図７参照）、同様に構成できる。
【０１４７】
図２８は、例えば、図９(ａ)に示すマークセンサ１２０の構成例を示している。このマークセンサ１２０は、発光素子としての白色ＬＥＤ１８１と、導光板１８２と、赤色センサ１８３と、導光板１８４と、青色センサ１８５とを有している。
【０１４８】
白色ＬＥＤ１８１、導光板１８２および赤色センサ１８３は、シアンセンサを構成している（図１６(ａ)参照）。すなわち、白色ＬＥＤ１８１からの赤色（Ｒ）、緑色（Ｇ）、青色（Ｂ）の各色の波長成分は、導光板１８２により赤色センサ１８３に導かれる。この場合、導光板１８２と赤色センサ１８３との間にインクリボン１２１のシアン（Ｃ）のインク層があるとき、赤色（Ｒ）の波長成分は赤色センサ１８３に到達しない。そのため、赤色センサ１８３の検出出力は、シアンのインク層にあっては“Ｌ”となり、その他の色のインク層にあっては“Ｈ”となる。
【０１４９】
また、白色ＬＥＤ１８１、導光板１８４および青色センサ１８５は、イエローセンサを構成している（図１４（ａ）参照）。すなわち、白色ＬＥＤ１８１からの赤色（Ｒ）、緑色（Ｇ）、青色（Ｂ）の各色の波長成分は、導光板１８４により青色センサ１８５に導かれる。この場合、導光板１８４と青色センサ１８５との間にインクリボン１２１のイエロー（Ｙ）のインク層があるとき、青色（Ｂ）の波長成分は青色センサ１８５に到達しない。そのため、青色センサ１８５の検出出力は、イエローのインク層にあっては“Ｌ”となり、その他の色のインク層にあっては“Ｈ”となる。
【０１５０】
図２８に示すマークセンサ１２０においては、導光板１８２、１８４を用いることで、発光素子が１個の白色ＬＥＤだけで済み、小型化、低コスト化を図ることができる。なお、他の色センサから構成されるマークセンサ１２０においても、図２８に示すマークセンサ１２０と同様に構成できることは勿論である。
【０１５１】
次に、図１に示すプリンタ１００において、インクリボン１２１およびマークセンサ１２０が上述したように構成されている場合の、１画像分を構成する一組のインク層領域の先頭を検出する動作、すなわち、一色目の頭出し動作について説明する。ここでは、インクリボン１２１およびマークセンサ１２０が、図２９（ａ）に示すように構成されている場合について説明する。この図２９（ａ）は、上述した図９（ｂ）と同じものである。
【０１５２】
図３０のフローチャートは、マークセンサ１２０の検出出力に基づく、一色目（イエロー（Ｙ）のインク層領域２０２Ｙ）の頭出しの動作概要を示している。
【０１５３】
まず、ステップＳＴ５１において、プリント制御ブロック１０６は、一色目の頭出しの動作を開始する。そして、ステップＳＴ５２において、プリント制御ブロック１０６は、イエロー（Ｙ）およびシアン（Ｃ）の２色が同時に検出されるまで待つ。ステップＳＴ５２で２色同時に検出されたとき、プリント制御ブロック１０６は、ステップＳＴ５３において、一色目の頭出し動作を終了する。
【０１５４】
ステップＳＴ５２の動作は、以下の通りである。すなわち、プリント制御ブロック１０６は、ステップＳＴ６１において２色同時検出待ちの動作を開始し、その後、ステップＳＴ６２の処理に移る。このステップＳＴ６２において、プリント制御ブロック１０６は、イエローセンサの検出出力に基づいて、イエロー（Ｙ）のインク層１３０Ｙが検出されたか否かを判断する。
【０１５５】
プリント制御ブロック１０６は、イエロー（Ｙ）のインク層１３０Ｙが検出されていなとき、ステップＳＴ６３において、テークアップモータ１１６をスタートさせ、その後、ステップＳＴ６２の処理に戻る。一方、ステップＳＴ６２でイエロー（Ｙ）のインク層１３０Ｙが検出されたとき、プリント制御ブロック１０６は、ステップＳＴ６４の処理に移る。
【０１５６】
このステップＳＴ６４において、プリント制御ブロック１０６は、シアンセンサの検出出力に基づいて、シアン（Ｃ）のインク層１３０Ｃが検出されたか否かを判断する。プリント制御ブロック１０６は、シアン（Ｃ）のインク層１３０Ｃが検出されていなとき、ステップＳＴ６３において、テークアップモータ１１６をスタートさせ、その後、ステップＳＴ６２の処理に戻る。
【０１５７】
一方、ステップＳＴステップＳＴ６４でシアン（Ｃ）のインク層１３０Ｃが検出されたとき、プリント制御ブロック１０６は、ステップＳＴ６５において、テークアップモータ１１６を停止し、その後、ステップＳＴ６６において、２色同時検出待ちの動作を終了する。
【０１５８】
因みに、図２９（ｂ）は、従来の黒マーク２０３が形成されたインクリボン２００Ａおよびマークセンサ２０４を示している。図３１のフローチャートは、従来のプリンタのプリント制御ブロックにおける、マークセンサ２０４の検出出力に基づく、一色目（イエロー（Ｙ）のインク層領域２０２Ｙ）の頭出しの動作概要を示している。
【０１５９】
まず、ステップＳＴ７１において、プリント制御ブロックは、一色目の頭出しの動作を開始する。そして、ステップＳＴ７２において、プリント制御ブロックは、テークアップモータをスタートさせ、その後に、ステップＳＴ７３の処理に移る。このステップＳＴ７３において、プリント制御ブロックは、黒マーク２０３を２本連続して検出できるまで待つ。
【０１６０】
プリント制御ブロックは、このステップＳＴ７３において、黒マーク２０３が２本連続して検出されたとき、ステップＳＴ７４の処理に移る。このステップＳＴ７４において、プリント制御ブロックは、テークアップモータを停止し、その後、ステップＳＴ７５において、一色目の頭出し動作を終了する。
【０１６１】
ステップＳＴ７３の動作は、以下の通りである。すなわち、プリント制御ブロックは、ステップＳＴ８１において黒マーク２本連続検出待ちの動作を開始し、ステップＳＴ８２において、タイマーＡをリセットし、その後に、ステップＳＴ８３の処理に移る。このステップＳＴ８３において、プリント制御ブロックは、マークセンサ２０４の検出出力に基づいて、黒マーク２０３が検出されたか否かを判断する。
【０１６２】
プリント制御ブロックは、ステップＳＴ８３で黒マーク２０３が検出されたとき、ステップＳＴ８４において、マークセンサ２０４の検出出力に基づいて、黒マーク２０３を通過したか否かを判断する。プリント制御ブロックは、ステップＳＴ８４で黒マーク２０３が通過したとき、ステップＳＴ８５において、タイマーＡをスタートさせ、その後に、ステップＳＴ８６の処理に移る。
【０１６３】
このステップＳＴ８６において、プリント制御ブロックは、マークセンサ２０４の検出出力に基づいて、黒マーク２０３が検出されたか否かを判断する。プリント制御ブロックは、ステップＳＴ８６で黒マーク２０３が検出されたとき、ステップＳＴ８７において、タイマーＡの時間が連続相当であるか否かを判断する。
【０１６４】
タイマーＡの時間が連続相当でないとき、プリント制御ブロックは、一色目の頭出し位置ではないと判断し、ステップＳＴ８２の処理に戻る。一方、ステップＳＴ８７でタイマーＡの時間が連続相当であるとき、プリント制御ブロックは、ステップＳＴ８８において、黒マーク２本連続検出待ちの動作を終了する。
【０１６５】
以上説明したように、図１に示すプリンタ１００で使用されるインクリボン１２１は、ベースフィルム２０１上の各色のインク層領域の間に形成される、各色のインク層領域の先頭を検出するためのセンサマークＳＭは、イエロー（Ｙ）、マゼンタ（Ｍ）、シアン（Ｃ）から選択された色のインク層で形成される。そのため、インクリボン１２１を製造する際に、黒インクの塗布は不要となり、製造工程の削減によるインクリボン１２１の低廉化を図ることができる。
【０１６６】
また、図１に示すプリンタ１００で使用されるインクリボン１２１において、所定のインク層領域およびそれに続くセンサマークＳＭを構成するインク層の並びが、一色目の頭出し位置のセンサマークＳＭを構成する縦配置の第１の色のインク層と第２の色のインク層の並びと同じ色の並びとなる場合には、所定のインク層領域およびそれに続くセンサマークＳＭを構成するインク層との間隔が、一色目の頭出し位置のセンサマークＳＭを構成する縦配置の第１の色のインク層と第２の色のインク層との間隔より長くされるため、一色目の頭出し位置の誤検出を良好に防止できる。
【０１６７】
なお、図１に示すプリンタ１００において、例えば、図３２（ａ）に示すインクリボン１２１を使用する場合、マークセンサ１２０は、同図に示すように、シアン（Ｃ）のセンサ１２０Ｃと、イエロー（Ｙ）のセンサ１２０Ｙが、ベースフィルム２０１の長手方向に並べて配置された構成とされる。
【０１６８】
この場合、センサ１２０Ｃとセンサ１２０Ｙの間隔ｄが、図３２（ｂ）に示す従来のインクリボン２００Ａにおける、一色目の頭出しに使用する２本の黒マーク２０３，２０３の間隔とほぼ等しくされていれば、上述のマークセンサ１２０を持つプリンタ１００において、従来のインクリボン２００Ａの使用が可能になる。
【０１６９】
この場合、一色目（イエロー）の頭出しに関しては、図３２（ａ）に示すインクリボン１２１においても、図３２（ｂ）に示すインクリボン２００Ａにおいても、シアンセンサ１２０Ｃおよびイエローセンサ１２０Ｙの検出出力が共に“Ｌ”となることを利用して行うことができる。また、２色目（マゼンタ）および３色目（シアン）の頭出しに関しては、図３２（ａ）に示すインクリボン１２１においても、図３２（ｂ）に示すインクリボン２００Ａにおいても、シアンセンサ１２０Ｃの検出出力が“Ｌ”となることを利用して行うことができる。
なお、図１に示すプリンタ１００においては、印画紙１２４に画像を印刷する例であるが、この発明は、文字、図形などを印刷するプリンタにも同様に適用できることは勿論である。
【産業上の利用可能性】
【０１７０】
この発明は、印画紙に画像、文字、図形等をプリントする熱転写型のプリンタで用いられるインクリボンに適用できる。
【図面の簡単な説明】
【０１７１】
【図１】この発明の実施の形態としてのプリンタの構成例を示す斜視図である。
【図２】濃淡表現に係る通電時間の制御を説明するための図である。
【図３】プリンタの動作を説明するためのフローチャートである。
【図４】イエローインク層の頭出し動作を説明するためのフローチャートである。
【図５】３色塗布型のインクリボンと、４色塗布型のインクリボンを説明するための図である。
【図６】インクリボンが３色塗布型である場合の各色のインク層の塗布順の例を示す図である。
【図７】インクリボンが４色塗布型である場合の各色のインク層の塗布順の例を示す図である。
【図８】マークセンサを構成する第１の色センサおよび第２の色センサの配置例を示す図である。
【図９】ベースフィルム上にイエロー（Ｙ）、マゼンタ（Ｍ）、シアン（Ｃ）の順に各色のインク層領域が繰り返し配設されたインクリボンの構成例（センサがＣ，Ｙ縦配置の場合、センサがＹ，Ｃ横配置の場合）を示す図である。
【図１０】インクリボンの各色のインク層の透過特性の一例を示す図である。
【図１１】発光素子としての白色ＬＥＤの発光スペクトルの一例を示す図である。
【図１２】受光素子としての各色のセンサの受光感度の一例を示す図である。
【図１３】白色ＬＥＤと色センサとをインクリボンを介して対向させて配置した場合における、インクリボンのイエロー（Ｙ）、マゼンタ（Ｍ）、シアン（Ｃ）、ラミネート（Ｌ）の各色のインク層に対する赤色、緑色、青色の各色センサの出力を示す図である。
【図１４】インクリボンのイエローのインク層を検出するためのイエローセンサの構成例を示す図である。
【図１５】インクリボンのマゼンタのインク層を検出するためのマゼンタセンサの構成例を示す図である。
【図１６】インクリボンのシアンのインク層を検出するためのシアンセンサの構成例を示す図である。
【図１７】ベースフィルム上にイエロー（Ｙ）、マゼンタ（Ｍ）、シアン（Ｃ）の順に各色のインク層領域が繰り返し配設されたインクリボンの構成例（センサがＹ，Ｃ縦配置の場合）を示す図である。
【図１８】ベースフィルム上にイエロー（Ｙ）、マゼンタ（Ｍ）、シアン（Ｃ）の順に各色のインク層領域が繰り返し配設されたインクリボンの構成例（センサがＣ，Ｍ縦配置の場合、センサがＭ，Ｃ横配置の場合）を示す図である。
【図１９】ベースフィルム上にイエロー（Ｙ）、マゼンタ（Ｍ）、シアン（Ｃ）の順に各色のインク層領域が繰り返し配設されたインクリボンの構成例（センサがＭ，Ｃ縦配置の場合）を示す図である。
【図２０】ベースフィルム上にイエロー（Ｙ）、マゼンタ（Ｍ）、シアン（Ｃ）の順に各色のインク層領域が繰り返し配設されたインクリボンの構成例（センサがＹ，Ｍ縦配置の場合、センサがＭ，Ｙ横配置の場合）を示す図である。
【図２１】ベースフィルム上にイエロー（Ｙ）、マゼンタ（Ｍ）、シアン（Ｃ）の順に各色のインク層領域が繰り返し配設されたインクリボンの構成例（センサがＭ，Ｙ縦配置の場合）を示す図である。
【図２２】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＣ，Ｙ縦配置の場合、センサがＹ，Ｃ横配置の場合）を示す図である。
【図２３】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＹ，Ｃ縦配置の場合）を示す図である。
【図２４】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＣ，Ｍ縦配置の場合、センサがＭ，Ｃ横配置の場合）を示す図である。
【図２５】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＭ，Ｃ縦配置の場合）を示す図である。
【図２６】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＹ，Ｍ縦配置の場合、センサがＹ，Ｍ横配置の場合）を示す図である。
【図２７】ベースフィルム上にイエロー（Ｙ）、マゼンタ（Ｍ）、シアン（Ｃ）、ラミネート（Ｌ）の順に各色のインク層領域が繰り返し配設されたインクリボンの構成例（センサがＭ，Ｙ縦配置の場合）を示す図である。
【図２８】マークセンサの構成例を示す図である。
【図２９】一色目の頭出し動作を説明するための、インクリボンおよびマークセンサの構成例を示す図である。
【図３０】マークセンサの検出出力に基づく、一色目（イエロー（Ｙ）のインク層領域）の頭出しの動作概要を示すフローチャートである。
【図３１】黒マークの検出出力に基づく、従来のインクリボンにおける一色目（イエロー（Ｙ）のインク層領域）の頭出しの動作概要を示すフローチャートである。
【図３２】この発明のインクリボンを使用するプリンタのマークセンサにより、従来のインクリボンの頭出しも可能であることを説明するための図である。
【図３３】従来のインクリボンの構成例を示す図である。
【符号の説明】
【０１７２】
１００・・・プリンタ、１０１・・・ＣＰＵ、１０１ａ・・・ＤＳＰ、１０２・・・メモリ、１０３・・・液晶表示パネル、１０４・・・操作キー部、１０５・・・画像データインタフェース、１０６・・・プリント制御ブロック、１１１・・・ヘッドドライブ、１１２・・・印刷ヘッド、１１３・・・プラテン、１１４，１１５・・・モータドライブ、１１６，１１７・・・モータ、１１８・・・キャプスタン、１１９・・・ピンチローラ、１２０・・・マークセンサ、１２０Ａ・・・発光素子、１２０Ｂ・・・受光素子、１２１・・・インクリボン、１２２・・・巻き取り側ボビン、１２３・・・供給側ボビン、１２４・・・印画紙、１２０Ｙ・・・イエローセンサ、１２０Ｍ・・・マゼンタセンサ、１２０Ｃ・・・シアンセンサ、１３０Ｙ・・・イエローのインク層、１３０Ｍ・・・マゼンタのインク層、１３０Ｃ・・・シアンのインク層、１８１・・・白色ＬＥＤ、１８２，１８４・・・導光板、１８３・・・赤色センサ、１８５・・・青色センサ、２０１・・・ベースフィルム、２０２Ｙ・・・イエローのインク層領域、２０２Ｍ・・・マゼンタのインク層領域、２０２Ｃ・・・シアンのインク層領域
【図１】
0004488081.tif 000002
【図２】
0004488081.tif 000003
【図３】
0004488081.tif 000004
【図４】
0004488081.tif 000005
【図５】
0004488081.tif 000006
【図６】
0004488081.tif 000007
【図７】
0004488081.tif 000008
【図８】
0004488081.tif 000009
【図９】
0004488081.tif 000010
【図１０】
0004488081.tif 000011
【図１１】
0004488081.tif 000012
【図１２】
0004488081.tif 000013
【図１３】
0004488081.tif 000014
【図１４】
0004488081.tif 000015
【図１５】
0004488081.tif 000016
【図１６】
0004488081.tif 000017
【図１７】
0004488081.tif 000018
【図１８】
0004488081.tif 000019
【図１９】
0004488081.tif 000020
【図２０】
0004488081.tif 000021
【図２１】
0004488081.tif 000022
【図２２】
0004488081.tif 000023
【図２３】
0004488081.tif 000024
【図２４】
0004488081.tif 000025
【図２５】
0004488081.tif 000026
【図２６】
0004488081.tif 000027
【図２７】
0004488081.tif 000028
【図２８】
0004488081.tif 000029
【図２９】
0004488081.tif 000030
【図３０】
0004488081.tif 000031
【図３１】
0004488081.tif 000032
【図３２】
0004488081.tif 000033
【図３３】
0004488081.tif 000034